(57)【要約】【課題】用紙に関する情報の設定に関し、ユーザの利便性を向上させる。【解決手段】プリンタドライバは、メモリ２５２に記憶されている給紙方法に関する情報（図示せず）を読み出して、「給紙方法」項目４０６において、「用紙割り当てに従う」が設定されているか否かを判定する（Ｓ１０２）。「用紙割り当てに従う」が設定されている場合には、「用紙割り当て」ボタン４１０を、ユーザによる選択が可能なように、有効表示にするとともに、メモリ２５２に記憶されている前面給紙口用紙設定情報３０８を読み出して、その設定内容を、「用紙割り当て」ボタン４１０の下方に位置する設定内容表示領域４１２に表示する（Ｓ１０６）。【選択図】図３
2008059333.tif 000002
【特許請求の範囲】
【請求項１】
用紙を給紙することが可能な第１及び第２の給紙部を備えるプリンタを、コンピュータによって制御するためのプリンタドライバプログラムであって、
前記コンピュータの備える表示画面上に、前記プリンタで印刷しようとする用紙に関する第１の用紙設定情報と、前記プリンタにおける給紙方法に関する給紙方法設定情報と、を少なくとも設定することが可能な設定画面を表示させる機能と、
前記給紙方法設定情報として特定給紙方法が設定されている場合に利用される用紙設定情報であって、前記第１の給紙部で給紙される用紙に関する第２の用紙設定情報を、前記コンピュータの備える記憶部から読み出す機能と、
前記給紙方法設定情報として前記特定給紙方法が設定されている場合に、前記第２の用紙設定情報を、前記設定画面内または該設定画面の隣に位置する別の画面内に表示させる機能と、
を前記コンピュータに実現させるプリンタドライバプログラム。
【請求項２】
請求項１に記載のプリンタドライバプログラムにおいて、
前記給紙方法設定情報として前記特定給紙方法以外の方法が設定されている場合には、前記第２の用紙設定情報を表示させない機能を、前記コンピュータにさらに実現させるプリンタドライバプログラム。
【請求項３】
請求項１に記載のプリンタドライバプログラムにおいて、
前記給紙方法設定情報として前記特定給紙方法以外の方法が設定されている場合には、前記第２の用紙設定情報を、前記給紙方法設定情報として前記特定給紙方法が設定されている場合と異なる表示形態にて表示させる機能を、前記コンピュータにさらに実現させるプリンタドライバプログラム。
【請求項４】
請求項１ないし請求項３のうちの任意の１つに記載のプリンタドライバプログラムにおいて、
前記給紙方法設定情報として、特定給紙方法が設定されている場合であって、前記第１の用紙設定情報が設定された場合に、前記第１の用紙設定情報と前記第２の用紙設定情報の両者が一致する場合には、前記プリンタにおいて用紙給紙に用いる給紙部として、第１の給紙部を選択し、一致しない場合には、第２の給紙部を選択する機能を、前記コンピュータにさらに実現させるプリンタドライバプログラム。
【請求項５】
請求項１ないし請求項４のうちの任意の１つに記載のプリンタドライバプログラムにおいて、
前記設定画面の表示中に特定の操作がなされた場合に、前記表示画面上に、前記第２の用紙設定情報を少なくとも設定することが可能な専用設定画面を前記設定画面とは別に表示させる機能を前記コンピュータにさらに実現させるプリンタドライバプログラム。
【請求項６】
請求項１ないし請求項５のうちの任意の１つに記載のプリンタドライバプログラムにおいて、
前記第１及び第２の用紙設定情報は、前記用紙の種類及びサイズのうち、少なくとも一方を含むことを特徴とするプリンタドライバプログラム。
【請求項７】
請求項１ないし請求項６のうちの任意の１つに記載のプリンタドライバプログラムをコンピュータ読み取り可能に記録した記録媒体。
【発明の詳細な説明】
【技術分野】
【０００１】
本発明は、複数の給紙部を備えるプリンタを、コンピュータによって制御するためのプリンタドライバプログラムに関するものである。
【背景技術】
【０００２】
従来、複数種類の用紙に対応できるように、前面給紙口と背面給紙口など複数の給紙部を備えるプリンタが知られている。このようなプリンタでは、例えば、下記の特許文献１に記載されているように、給紙方法として、前面給紙口からの給紙と背面給紙口からの給紙の他、給紙口自動選択による給紙が用意されている場合がある。プリンタドライバによる印刷設定画面において、ユーザが、給紙方法として、給紙口自動選択による給紙を設定すると、プリンタドライバは、プリンタで印刷すべき用紙の設定内容に応じて、用紙の給紙が行われる給紙口として、前面給紙口，背面給紙口の何れか一方を自動的に選択する。
具体的には、例えば、用紙として、前面給紙口にＡ４の普通紙を装着し、背面給紙口にＬ判の光沢紙を装着している場合に、プリンタドライバによる印刷設定画面において、ユーザが、給紙方法として、給紙口自動選択による給紙を設定した上で、専用設定画面において、前面給紙口に装着した用紙のサイズと種類を前面給紙口用紙設定情報として設定する。この場合、前面給紙口にはＡ４の普通紙が装着されているので、その専用設定画面において、「Ａ４の普通紙」を前面給紙口用紙設定情報として設定することになる。そこで、印刷設定画面において、ユーザが、プリンタで印刷すべき用紙のサイズと種類を印刷用紙設定情報として設定すると、プリンタドライバは、印刷用紙設定情報と前面給紙口用紙設定情報とを比較し、両者が一致する場合には、用紙の給紙が行われる給紙口として、前面給紙口を選択し、一致しない場合には、背面給紙口を選択する。従って、その後、ユーザが印刷開始を指示すると、「Ａ４の普通紙」を印刷用紙設定情報として設定した場合には、プリンタにおいて、前面給紙口より用紙が給紙されて、Ａ４の普通紙による印刷が実行され、「Ｌ判の光沢紙」を印刷用紙設定情報として設定した場合には、背面給紙口より用紙が給紙されて、Ｌ判の光沢紙による印刷が実行される。
【０００３】
【特許文献１】特開２００５−３５２７４４号公報
【発明の開示】
【発明が解決しようとする課題】
【０００４】
このように、従来のプリンタドライバにおいては、給紙方法として、給紙口自動選択による給紙を選択した場合、印刷用紙設定情報と前面給紙口用紙設定情報との比較結果に応じて、用紙の給紙が行われる給紙口が自動的に選択されるため、ユーザは、印刷設定画面において、プリンタで印刷すべき用紙のサイズと種類を印刷用紙設定情報として設定する際、前面給紙口用紙設定情報として、どのようなサイズでどのような種類の用紙が設定されているか、を常に意識する必要があった。そして、ユーザは、前面給紙口用紙設定情報の内容がうろ覚えや不明の場合には、前述の専用設定画面を再度開いて、その設定内容を見て確認する必要があり、ユーザにとって手間がかかり、ユーザの利便性が損なわれていた。
【０００５】
従って、本発明の目的は、上記した従来技術の問題点を解決し、ユーザの利便性を向上させることが可能なプリンタドライバプログラムを提供することにある。
【課題を解決するための手段】
【０００６】
上記した目的の少なくとも一部を達成するために、本発明のプリンタドライバプログラムは、用紙を給紙することが可能な第１及び第２の給紙部を備えるプリンタを、コンピュータによって制御するためのプリンタドライバプログラムであって、
前記コンピュータの備える表示画面上に、前記プリンタで印刷しようとする用紙に関する第１の用紙設定情報と、前記プリンタにおける給紙方法に関する給紙方法設定情報と、を少なくとも設定することが可能な設定画面を表示させる機能と、
前記給紙方法設定情報として特定給紙方法が設定されている場合に利用される用紙設定情報であって、前記第１の給紙部で給紙される用紙に関する第２の用紙設定情報を、前記コンピュータの備える記憶部から読み出す機能と、
前記給紙方法設定情報として前記特定給紙方法が設定されている場合に、前記第２の用紙設定情報を、前記設定画面内または該設定画面の隣に位置する別の画面内に表示させる機能と、
を前記コンピュータに実現させることを要旨とする。
【０００７】
このように、本発明のプリンタドライバプログラムでは、給紙方法設定情報として特定給紙方法が設定されている場合に利用される用紙設定情報であって、第１の給紙部で給紙される用紙に関する第２の用紙設定情報を、記憶部から読み出し、設定画面において、給紙方法設定情報として特定給紙方法が設定されている場合に、その第２の用紙設定情報を、設定画面内またはその設定画面の隣に位置する別の画面内に表示させるようにしている。
【０００８】
従って、本発明のプリンタドライバプログラムによれば、給紙方法設定情報として、特定給紙方法が設定されている場合において、ユーザが、設定画面において、プリンタで印刷しようとする用紙に関する第１の用紙設定情報を設定する際に、第１の給紙部で給紙される用紙に関する第２の用紙設定情報として、どのような内容が設定されているかを、設定画面内または別の画面内の表示内容から、目視により確認することができるので、ユーザの利便性を向上させることができる。
【０００９】
本発明のプリンタドライバにおいて、前記給紙方法設定情報として前記特定給紙方法以外の方法が設定されている場合には、前記第２の用紙設定情報を表示させない機能を、前記コンピュータにさらに実現させることが好ましい。
【００１０】
第２の用紙設定情報は、特定給紙方法が設定されている場合以外には、特に必要な情報ではないので、このように、特定給紙方法以外の方法が設定されている場合に、表示させないことにより、ユーザに対して、紛らわしさをなくすることができる。
【００１１】
本発明のプリンタドライバにおいて、前記給紙方法設定情報として前記特定給紙方法以外の方法が設定されている場合には、前記第２の用紙設定情報を、前記給紙方法設定情報として前記特定給紙方法が設定されている場合と異なる表示形態にて表示させる機能を、前記コンピュータにさらに実現させるようにしてもよい。
【００１２】
第２の用紙設定情報は、特定給紙方法が設定されている場合以外には、特に必要な情報ではないので、このように、特定給紙方法以外の方法が設定されている場合に、異なる形態にて表示することにより、特に必要な情報でないことをユーザに注意を喚起することができる。
【００１３】
本発明のプリンタドライバプログラムにおいて、前記給紙方法設定情報として、特定給紙方法が設定されている場合であって、前記第１の用紙設定情報が設定された場合に、前記第１の用紙設定情報と前記第２の用紙設定情報の両者が一致する場合には、前記プリンタにおいて用紙給紙に用いる給紙部として、第１の給紙部を選択し、一致しない場合には、第２の給紙部を選択する機能を、前記コンピュータにさらに実現させることが好ましい。
【００１４】
このような機能を備えることにより、特定給紙方法として、第１の用紙設定情報と第２の用紙設定情報との比較結果に応じて、用紙給紙に用いる給紙部が自動的に選択される給紙方法を実現することができる。
【００１５】
本発明のプリンタドライバプログラムにおいて、前記設定画面の表示中に特定の操作がなされた場合に、前記表示画面上に、前記第２の用紙設定情報を少なくとも設定することが可能な専用設定画面を前記設定画面とは別に表示させる機能を前記コンピュータにさらに実現させるようにしてもよい。
これにより、ユーザは、第２の用紙設定情報を自由に設定することができるようになる。
【００１６】
本発明のプリンタドライバプログラムにおいて、前記第１及び第２の用紙設定情報は、前記用紙の種類及びサイズのうち、少なくとも一方を含むことが好ましい。
これらの情報は、用紙を特定するのに重要な情報だからである。
【００１７】
なお、本発明は、上記したプリンタドライバプログラムなどのプログラム発明の態様に限ることなく、そのようなコンピュータプログラムを記録した記録媒体としての態様や、上記コンピュータプログラムを含み搬送波内に具現化されたデータ信号など、種々の態様で実現することも可能である。さらには、そのプログラムを実現するための装置発明としての態様や方法発明としての態様で実現することも可能である。
【発明を実施するための最良の形態】
【００１８】
以下、本発明の実施の形態を実施例に基づいて以下の順序で説明する。
Ａ．実施例の構成：
Ｂ．実施例の動作：
Ｃ．実施例の効果：
Ｄ．変形例：
【００１９】
Ａ．実施例の構成：
図１は本発明の一実施例としてのプリンタドライバプログラムを備えたコンピュータとプリンタから成る印刷システムを示すブロック図である。
【００２０】
図１に示す印刷システムは、プリンタ１００とコンピュータ２００によって構成されており、このうち、プリンタ１００は、用紙の給紙を行うために、前面に設けられた前面給紙口１０２と、背面に設けられた背面給紙口１０４と、を備えている。
【００２１】
一方、コンピュータ２００は、コンピュータプログラムに従って種々の処理や制御を行うためのＣＰＵ２５０と、上記コンピュータプログラムを記憶したり、処理中に得られたデータなどを記憶したりするためのメモリ２５２と、各種周辺装置との間でデータなどのやり取りを行うためのＩ／Ｏ部２５４と、キーボードやポインティングデバイスなどから成り、ユーザからの指示などを入力するための入力装置２５６と、ＣＲＴや液晶ディスプレイなどから成り、画像などを表示するためのモニタ２５８と、ネットワークカードなどから成り、ネットワークを介して他の装置と通信を行なうための通信装置２６０と、画像データなどを格納するためのハードディスク装置２６２と、上記コンピュータプログラムなどの書き込まれたＣＤ−ＲＯＭ２６４を読み取るためのＣＤ−ＲＯＭドライブ装置２６６と、を備えている。また、このうち、メモリ２５２は、上記コンピュータプログラムとして、アプリケーションプログラム３０２やプリンタドライバプログラム３０４などを記憶しており、上記データとして、用紙に関する情報である印刷用紙設定情報３０６や前面給紙口用紙設定情報３０８などを記憶している。
【００２２】
なお、本実施例において、前面給紙口１０２は、請求項における第１の給紙部に、背面給紙口１０４は、請求項における第２の給紙部に、メモリ２５２は、請求項における記憶部に、モニタ２５８の画面は、請求項における表示画面に、印刷用紙設定情報３０６は、請求項における第１の用紙設定情報に、前面給紙口用紙設定情報３０８は、請求項における第２の用紙設定情報に、それぞれ、相当する。
【００２３】
ＣＰＵ２５０は、メモリ２５２に記憶された上記コンピュータプログラムのうち、アプリケーションプログラム３０２を読み出して実行することにより、アプリケーションとして機能し、プリンタドライバプログラム３０４を読み出して実行することにより、プリンタドライバとして機能する。
【００２４】
本実施例では、図１に示すように、メモリ２５２に記憶された上記コンピュータプログラムは、記録媒体であるＣＤ−ＲＯＭ２６４に記録された形態で提供され、ＣＤ−ＲＯＭドライブ装置２６６により読み取られることによって、コンピュータ内に取り込まれる。取り込まれたコンピュータプログラムは、ハードディスク装置２６２に転送され、その後、起動時などにメモリ２５２に転送される。あるいは、読み取られたコンピュータプログラムは、ハードディスク装置２６２を介さず、直接、メモリ２５２に転送するようにしても良い。
【００２５】
このように、本実施例では、コンピュータプログラムをコンピュータ読み取り可能に記録する「記録媒体」としてＣＤ−ＲＯＭを利用することを述べたが、その他にも、フレキシブルディスクや光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。
【００２６】
また、コンピュータプログラムは、このような記録媒体に記録された形態での提供の他、ネットワークを介して、コンピュータプログラムを供給するプログラムサーバ（図示せず）にアクセスし、プログラムサーバからＰＣに取り込むようにしても良い。
また、上記コンピュータプログラムの一部は、オペレーティングシステムプログラムによって構成するようにしても良い。
【００２７】
Ｂ．実施例の動作：
図１において、今、プリンタ１００の前面給紙口１０２には、用紙として、Ａ４の普通紙が装着されており、背面給紙口１０４には、Ｌ判の光沢紙が装着されているものとする。
【００２８】
また、メモリ２５２には、前述したとおり、データとして、用紙に関する情報である印刷用紙設定情報３０６と前面給紙口用紙設定情報３０８が記憶されている。このうち、印刷用紙設定情報３０６は、プリンタ１００で印刷しようとする用紙に関する設定情報である。一方、前面給紙口用紙設定情報３０８は、プリンタ１００の前面給紙口１０２で給紙される用紙に関する設定情報である。前述したとおり、今、前面給紙口１０２にはＡ４の普通紙が装着されているため、前面給紙口用紙設定情報３０８の設定内容としては、「用紙種類：普通紙，用紙サイズ：Ａ４」が設定されているものとする。なお、メモリ２５２には、データとして、その他、給紙方法に関する情報なども記憶されるが、図１では省略されている。
【００２９】
ユーザが、入力装置２５６を操作して、プリンタドライバを起動すると、プリントドライバは、モニタ２５８の画面上に図２に示すような印刷設定画面を表示する。
【００３０】
図２はモニタ２５８の画面上に表示される印刷設定画面の一例を示す説明図である。図２に示すように、その印刷設定画面４００において、「基本設定」タブには、設定項目として、「プリント設定」項目４０２や「給紙設定」項目４０４などがあり、このうち、「プリント設定」項目４０２には、さらに、サブ項目として「用紙種類」項目４０５などがあり、「給紙設定」項目４０４には、さらに、サブ項目として、「給紙方法」項目４０６や「用紙サイズ」項目４０８などがある。
【００３１】
本実施例では、給紙方法として、プリンタ１００の前面給紙口１０２からの給紙と、背面給紙口１０４からの給紙と、給紙口自動選択による給紙の３つの給紙方法が用意されている。そして、ユーザが、給紙方法として、前面給紙口１０２からの給紙を設定しようとする際には、図２の「給紙方法」項目４０６において、「前面用紙カセット」を選択して設定し、背面給紙口１０４からの給紙を設定しようとする際には、「背面オートシートフィーダ」を選択して設定し、給紙口自動選択による給紙を設定しようとする際には、「用紙割り当てに従う」を選択して設定するようにする。設定された結果は、メモリ２５２に、給紙方法に関する情報（図示せず）として記憶される。図２では、今、「給紙方法」項目４０６には「背面オートシートフィーダ」が設定されているので、メモリ２５２に記憶されている上記情報には、給紙方法として、背面給紙口１０４からの給紙が設定されている。
【００３２】
図３はプリンタドライバが基本設定タブの表示を行うとき、又は給紙方法が変更されたときの給紙方法関連表示処理の手順を示すフローチャートである。
図３に示す処理が開始されると、まず、プリンタドライバは、メモリ２５２に記憶されている給紙方法に関する情報（図示せず）を読み出して、「給紙方法」項目４０６において、「用紙割り当てに従う」が設定されているか否かを判定し（ステップＳ１０２）、「用紙割り当てに従う」以外、すなわち、「前面用紙カセット」または「背面オートシートフィーダ」が設定されている場合には、「給紙方法」項目４０６の右にある「用紙割り当て」ボタン４１０を、ユーザによる選択が不可能なように、グレーアウト表示にする（ステップＳ１０４）。図２では、給紙方法として「背面オートシートフィーダ」が設定されているので、「用紙割り当て」ボタン４１０はグレーアウト表示になっている。あわせて、設定内容表示領域４１２の表示を消す（ステップＳ１０４）。
【００３３】
反対に、判定結果として、「用紙割り当てに従う」が設定されている場合には、プリンタドライバは、「用紙割り当て」ボタン４１０を、ユーザによる選択が可能なように、有効表示にする。同時に、プリンタドライバは、メモリ２５２に記憶されている前面給紙口用紙設定情報３０８を読み出して、その設定内容を、「用紙割り当て」ボタン４１０の下方に位置する設定内容表示領域４１２に表示する（ステップＳ１０６）。
【００３４】
図４はモニタ２５８の画面上に表示される印刷設定画面の他の例を示す説明図である。図４では、給紙方法として「用紙割り当てに従う」が設定されているので、「用紙割り当て」ボタン４１０は選択有効な状態になっている。そして、「用紙割り当て」ボタン４１０の下方に位置する設定内容表示領域４１２には、前面給紙口用紙設定情報３０８の設定内容である「用紙種類：普通紙，用紙サイズ：Ａ４」が表示されている。
【００３５】
「給紙方法」項目４０６において、「用紙割り当てに従う」が設定されている場合、給紙方法は、給紙口自動選択による給紙が設定されていることになる。この給紙方法では、プリンタドライバが、メモリ２５２に記憶されている印刷用紙設定情報３０６と前面給紙口用紙設定情報３０８とを読み出して比較し、その比較結果に応じて、用紙給紙に用いる給紙口として、前面給紙口１０２，背面給紙口１０４のうち、何れか一方を選択する。
【００３６】
図５は給紙方法として給紙口自動選択による給紙が設定されていて印刷用紙設定情報３０６が変更された場合又は、給紙口自動選択による給紙に設定が変更された場合の、プリンタドライバによる給紙口選択処理を示すフローチャートである。
【００３７】
給紙方法として給紙口自動選択による給紙が設定されている場合、図５に示す処理が開始されて、プリンタドライバは、メモリ２５２に記憶されている印刷用紙設定情報３０６と前面給紙口用紙設定情報３０８とを読み出して、両者の設定内容を比較する（ステップＳ２０２）。比較の結果、両者の設定内容が一致している場合には、用紙給紙に用いる給紙口として、前面給紙口１０２を選択し（ステップＳ２０４）、一致していない場合には、背面給紙口１０４を選択する（ステップＳ２０６）。
【００３８】
従って、図４に示すとおり、「給紙方法」項目４０６において「用紙割り当てに従う」が設定され、給紙方法として、給紙口自動選択による給紙が設定されている場合に、ユーザが、入力装置２５６を操作して、例えば、「用紙種類」項目４０５において、プリンタ１００で印刷しようとする用紙の種類として「普通紙」を選択して設定し、「用紙サイズ」項目４０８において、その用紙のサイズとして「Ａ４」を選択して設定すると、プリンタドライバは、それらの内容を印刷用紙設定情報３０６としてメモリ２５２に記憶した上で、その印刷用紙設定情報３０６と前面給紙口用紙設定情報３０８とを読み出して、両者の設定内容を比較する。印刷用紙設定情報３０６の設定内容は、「用紙種類：普通紙，用紙サイズ：Ａ４」となっており、前面給紙口用紙設定情報３０８の設定内容も、「用紙種類：普通紙，用紙サイズ：Ａ４」となっているため、プリンタドライバは、両者の設定内容は一致していると判定して、用紙給紙に用いる給紙口として、前面給紙口１０２を選択する。よって、その後、アプリケーションから印刷指示がなされると、プリンタドライバは、プリンタ１００の印刷動作を制御するとともに、前面給紙口１０２より用紙が給紙されるように、プリンタ１００を制御する。その結果、プリンタ１００では、Ａ４の普通紙による印刷が実行される。
【００３９】
一方、ユーザが、入力装置２５６を操作して、例えば、「用紙種類」項目４０５において、「光沢紙」を選択して設定し、「用紙サイズ」項目４０８において、「Ｌ判」を選択して設定すると、プリンタドライバは、それらの内容を印刷用紙設定情報３０６としてメモリ２５２に記憶した上で、その印刷用紙設定情報３０６と前面給紙口用紙設定情報３０８とを読み出して、両者の設定内容を比較する。印刷用紙設定情報３０６の設定内容は、「用紙種類：光沢紙，用紙サイズ：Ｌ判」となっており、前面給紙口用紙設定情報３０８の設定内容は、「用紙種類：普通紙，用紙サイズ：Ａ４」となっているため、プリンタドライバは、両者の設定内容は一致していないと判定して、用紙給紙に用いる給紙口として、今度は、背面給紙口１０４を選択することになる。従って、その後、アプリケーションから印刷指示がなされると、プリンタドライバは、プリンタ１００の印刷動作を制御するとともに、背面給紙口１０４より用紙が給紙されるように、プリンタ１００を制御する。その結果、プリンタ１００では、Ｌ判の光沢紙による印刷が実行される。
【００４０】
このように、給紙方法として、給紙口自動選択による給紙が設定されている場合、印刷用紙設定情報３０６と前面給紙口用紙設定情報３０８との比較結果に応じて、用紙の給紙が行われる給紙口が自動的に選択されるため、ユーザは、プリンタで印刷しようとする用紙に関する情報を設定すべく、「用紙種類」項目４０５，「用紙サイズ」項目４０８において、設定情報を選択する際に、前面給紙口用紙設定情報３０８、すなわち、前面給紙口１０２に装着されている用紙に関する情報として、どのようなサイズでどのような種類の用紙が設定されているか、を常に意識する必要がある。
【００４１】
従来においては、前面給紙口用紙設定情報３０８の設定内容を確認したい場合、ユーザは、プリンタ１００の前面給紙口１０２に実際に装着されている用紙を見て確認するか、或いは、後述する専用設定画面である「用紙割り当て」設定画面を開いて、その設定内容を見て確認する必要があり、ユーザにとって手間がかかり、ユーザの利便性が損なわれていた。
【００４２】
これに対し、本実施例においては、図４に示したとおり、「給紙方法」項目４０６において「用紙割り当てに従う」が設定されて、給紙方法として、給紙口自動選択による給紙が設定されている場合、プリンタドライバは、メモリ２５２に記憶されている前面給紙口用紙設定情報３０８を読み出して、その設定内容を、「用紙割り当て」ボタン４１０の下方に位置する設定内容表示領域４１２に表示するため、ユーザは、その表示を見て、前面給紙口用紙設定情報３０８の設定内容を容易に確認することができ、ユーザの利便性を向上させることができる。
【００４３】
一方、図４に示したとおり、「給紙方法」項目４０６において「用紙割り当てに従う」が設定され、給紙方法として、給紙口自動選択による給紙が設定されている場合に、ユーザが、例えば、前面給紙口用紙設定情報３０８の設定内容、すなわち、前面給紙口１０２に装着されている用紙に関する情報の設定内容を変更しようとして、入力装置２５６を用いて「用紙割り当て」ボタン４１０をクリックすると、プリンタドライバは、印刷設定画面４００’の上に重なるように、用紙割り当て設定画面５００をポップアップで表示させる。
【００４４】
図６はモニタ２５８の画面上に表示される用紙割り当て設定画面を示す説明図である。図６に示すように、その用紙割り当て設定画面５００には、設定項目として、「前面用紙カセット設定」項目５０２や「ＯＫ」ボタン５０８などがあり、このうち、「前面用紙カセット設定」項目５０２には、さらに、サブ項目として「用紙種類」項目５０４や「用紙サイズ」項目５０６がある。プリンタドライバは、用紙割り当て設定画面５００をポップアップで表示する際、メモリ２５２に記憶されている前面給紙口用紙設定情報３０８を読み出して、その設定内容に従い「用紙種類」項目５０４に「普通紙」を、「用紙サイズ」項目５０６に「Ａ４」を、それぞれ表示させる。
【００４５】
次に、ユーザが、入力装置２５６を操作し、「用紙種類」項目５０４において、「普通紙」から「光沢紙」に、「用紙サイズ」項目５０６において、「Ａ４」から「Ｂ５」に、それぞれ変更した上で、「ＯＫ」ボタン５０８をクリックすると、プリンタドライバは、それら変更後の内容にて、メモリ２５２に記憶されている前面給紙口用紙設定情報３０８の設定内容を更新する。
【００４６】
また、同時に、プリンタドライバは、メモリ２５２から更新後の前面給紙口用紙設定情報３０８を読み出して、その新たな設定内容にて、印刷設定画面４００’の設定内容表示領域４１２における表示内容を書き換える。この結果、設定内容表示領域４１２には、更新後の前面給紙口用紙設定情報３０８の設定内容である「用紙種類：光沢紙，用紙サイズ：Ｂ５」が表示されることになる。
【００４７】
Ｃ．実施例の効果：
以上説明したように、本実施例では、印刷設定画面４００’における「給紙方法」項目４０６において「用紙割り当てに従う」が設定され、給紙方法として、給紙口自動選択による給紙が設定されている場合に、プリンタドライバが、メモリ２５２に記憶されている前面給紙口用紙設定情報３０８を読み出して、その設定内容を設定内容表示領域４１２に表示するようにしている。従って、本実施例によれば、プリンタで印刷しようとする用紙に関する情報を設定すべく、「用紙種類」項目４０５，「用紙サイズ」項目４０８において、設定情報を選択する際に、設定内容表示領域４１２に表示された内容を見て、前面給紙口用紙設定情報３０８の設定内容を容易に確認することができる。よって、ユーザは、プリンタ１００の前面給紙口１０２に実際に装着されている用紙を見たり、図６に示した「用紙割り当て」設定画面を再度開いて、その設定内容を見たりする必要がないため、手間がかからず、ユーザの利便性を向上させることができる。
【００４８】
Ｄ．変形例：
なお、本発明は上記した実施例や実施形態に限られるものではなく、その要旨を逸脱しない範囲において種々の態様にて実施することが可能である。
【００４９】
上記した実施例においては、図４に示したように、前面給紙口用紙設定情報３０８の設定内容を、印刷設定画面４００’内（設定内容表示領域４１２）に表示させていたが、本発明はこれに限定されるものではなく、例えば、図７に示すような現在設定一覧画面６００を、印刷設定画面４００’に隣接するように配置して表示し、その現在設定一覧画面６００内に表示するようにしてもよい。
【００５０】
図７はモニタ２５８の画面上に表示される現在設定一覧画面６００を示す説明図である。図７に示すように、現在設定一覧画面６００には、現在の各種設定内容が表示されている。プリンタドライバは、現在設定一覧画面６００内の「常に現在の設定一覧を表示する」にチェックが付いている場合には、印刷設定画面４００’を表示する際、その右または左隣に、現在設定一覧画面６００を並べて表示する。その際、プリンタドライバは、メモリ２５２に記憶されている前面給紙口用紙設定情報３０８を読み出して、その設定内容を、現在設定一覧画面６００内の特定表示領域６０２に、「用紙割り当て設定」として表示させる。
【００５１】
また、上記した実施例において、プリンタ１００は、用紙を給紙する給紙部が、前面給紙口１０２，背面給紙口１０４の２つであったが、本発明はこれに限定されるものではなく、３つ以上であってもよい。
【００５２】
上記した実施例では、「用紙割り当てに従う」以外、すなわち、「前面用紙カセット」または「背面オートシートフィーダ」が設定されている場合には、設定内容表示領域４１２の表示を消して、前面給紙口用紙設定情報３０８の設定内容を表示させないようにしていたが、本発明はこれに限定されるものではなく、前面給紙口用紙設定情報３０８の設定内容を、例えば、グレーアウト表示など、「用紙割り当てに従う」が設定されている場合とは異なる表示形態にて表示させるようにしてもよい。
【図面の簡単な説明】
【００５３】
【図１】本発明の一実施例としてのプリンタドライバプログラムを備えたコンピュータとプリンタから成る印刷システムを示すブロック図である。
【図２】モニタ２５８の画面上に表示される印刷設定画面の一例を示す説明図である。
【図３】プリンタドライバによる給紙方法関連表示処理の手順を示すフローチャートである。
【図４】モニタ２５８の画面上に表示される印刷設定画面の他の例を示す説明図である。
【図５】給紙方法として給紙口自動選択による給紙が設定されている場合の、プリンタドライバによる給紙口選択処理を示すフローチャートである。
【図６】モニタ２５８の画面上に表示される用紙割り当て設定画面を示す説明図である。
【図７】モニタ２５８の画面上に表示される現在設定一覧画面６００を示す説明図である。
【符号の説明】
【００５４】
１００…プリンタ
１０２…前面給紙口
１０４…背面給紙口
２００…コンピュータ
２５０…ＣＰＵ
２５２…メモリ
２５４…Ｉ／Ｏ部
２５６…入力装置
２５８…モニタ
２６０…通信装置
２６２…ハードディスク装置
２６４…ＣＤ−ＲＯＭ
２６６…ＣＤ−ＲＯＭドライブ装置
３０２…アプリケーションプログラム
３０４…プリンタドライバプログラム
３０６…印刷用紙設定情報
３０８…前面給紙口用紙設定情報
４００…印刷設定画面
４０２…「プリント設定」項目
４０４…「給紙設定」項目
４０５…「用紙種類」項目
４０６…「給紙方法」項目
４０８…「用紙サイズ」項目
４１０…「用紙割り当て」ボタン
４１２…設定内容表示領域
５００…用紙割り当て設定画面
５０２…「前面用紙カセット設定」項目
５０４…「用紙種類」項目
５０６…「用紙サイズ」項目
５０８…「ＯＫ」ボタン
６００…現在設定一覧画面
６０２…特定表示領域
【図１】
2008059333.tif 000003
【図２】
2008059333.tif 000004
【図３】
2008059333.tif 000005
【図４】
2008059333.tif 000006
【図５】
2008059333.tif 000007
【図６】
2008059333.tif 000008
【図７】
2008059333.tif 000009